(57)【要約】【課題】簡単な操作によって、吊掛具を支持具に対して容易に着脱可能とする吊掛装置を提供する。【解決手段】吊掛具１０３と、当該吊掛具を支持する支持具１０２とを有する吊掛装置１００であって、支持具１０２は、吊掛具１０３を挿脱可能とし、挿入された吊掛具１０３の傾動動作に応じて移動する第１の移動部材１９０と、第１の移動部材１９０の移動動作に応じて、吊掛具１０３をロックするロック動作及びロック解除するロック解除動作を繰り返すロック機構部２１０、２３０、２５０、２６０と、を備え、吊掛具１０３は、第１の移動部材１９０に挿脱可能な第１の係合部１３２と、ロック機構部のロック動作によりロック機構部にロックされ、ロック解除動作によりロック解除されるロック係合部１３６とを備える。【選択図】図１３
2011115445.tif 000002
【特許請求の範囲】
【請求項１】
吊掛具と、当該吊掛具を支持する支持具とを有する吊掛装置であって、
前記支持具は、
前記吊掛具を挿脱可能とし、挿入された前記吊掛具の傾動動作に応じて移動する第１の移動部材と、
前記第１の移動部材の移動動作に応じて、前記吊掛具をロックするロック動作及びロック解除するロック解除動作を繰り返すロック機構部と、を備え、
前記吊掛具は、
前記第１の移動部材に挿脱可能な第１の係合部と、
前記ロック機構部の前記ロック動作により前記ロック機構部にロックされ、前記ロック解除動作によりロック解除されるロック係合部と
を備えることを特徴とする吊掛装置。
【請求項２】
前記第１の移動部材は、
前記吊掛具の前記第１の係合部を挿脱可能とする第２の係合部と、当該第２の係合部に挿入された前記吊掛具の傾動動作に応じて移動すると共に、当該移動方向に対して傾斜した第１傾斜面を有し、
前記ロック機構部は、
前記第１傾斜面と摺接する第２傾斜面を有し、前記第１の移動部材の移動に伴って、前記第１の移動部材の移動方向に対して直交成分を有する方向に移動すると共に、当該直交成分を有する移動方向に対して傾斜した第１摺接カム面を有する複数の第１カムが第１の筒体の周面においてその周方向に沿って所定間隔で順次形成された第２の移動部材と、
前記複数の第１カムの前記第１摺接カム面に摺接される複数の第２カムが第２の筒体の周面においてその周方向に沿って所定間隔で順次形成され、前記第２の移動部材の移動に伴って前記第２の筒体が前記第２カムの配列方向に回動すると共に、当該回動方向に沿って複数の第３カムが順次形成されたカム部材と、
前記第３カムに係合され、前記カム部材の回動に伴って、ロック動作及びロック解除動作を繰り返すロック部材と
を備えることを特徴とする請求項１に記載の吊掛装置。
【請求項３】
前記吊掛具は、
シャフトと、
前記シャフトの一方の先端部に設けられた前記第１の係合部と、
前記シャフトの他方の先端部に設けられた引掛部と
を備え、
前記第１の係合部は、
前記第１移動部材の凹状の前記第２の係合部に挿入される係合先端部と、
前記係合先端部よりも径の大きな前記ロック係合部と、
前記ロック係合部の径よりも小さな径の小径部とが、前記シャフトの前記一方の先端部から順次形成されていることを特徴とする請求項２に記載の吊掛装置。
【請求項４】
前記引掛部は、
楕円形状又は２つの円弧部を有するレーストラック形状に形成された環状であることを特徴とする請求項３に記載の吊掛装置。
【請求項５】
前記ロック部材は、前記吊掛具の前記小径部を挟むことにより、前記ロック動作し、
ロック状態では、前記ロック係合部が前記ロック部材に係止されて前記吊掛具の下方への抜け落ちが係止されると共に、前記係合先端部は、前記吊掛具の自重により、前記第１の移動部材の前記凹状の第２の係合部から下方へ脱し、前記吊掛具は、前記ロック部材によるロック位置を支点として揺動可能に支持されることを特徴とする請求項３又は請求項４に記載の吊掛装置。
【請求項６】
前記カム部材には、
前記第２の筒体の周面においてその周方向に沿って複数の山形の第４カムが順次形成され、
前記第４カムに係合され、前記カム部材の回動に応じて前記カム部材の回動動作を補助する弾性体を備えることを特徴とする請求項２乃至請求項５のいずれかに記載の吊掛装置。
【発明の詳細な説明】
【技術分野】
【０００１】
本発明は、例えば、物干竿や洋服ハンガー、観葉植物等を吊り下げて使用する吊掛装置に関する。
【背景技術】
【０００２】
従来、天井から例えば物干竿受具を吊り下げる吊掛装置として、天井に固定される支持具と、当該支持具に支持されて吊り下げられるシャフト状の吊掛具（物干竿受具）とを有するものが考えられている（特許文献１〜５参照）。
【０００３】
この種の吊掛装置は、天井に固定された支持具に対して、吊掛具を着脱可能とすることにより、使い勝手を向上するようになされている。
【０００４】
特許文献１〜３に記載された吊掛装置においては、天井に固定された支持具の下面部に形成された挿入孔に対して、吊掛具を構成するシャフトの先端部を上方に向けて差し込んだ後、当該シャフトをそのシャフト部分を中心軸として当該中心軸回りに捻ることで、この吊掛具を支持具に支持させる構成となっている。
【０００５】
また、特許文献４に記載された吊掛装置においては、天井に固定された支持具に対して、吊掛具を構成するシャフトを垂直に保ちながらその上端部を水平移動させることで、当該上端部を支持具に対して横方向から挿入し支持させる構成となっている。
【０００６】
また、特許文献５に記載された吊掛装置においては、天井に固定された支持具に対して、吊掛具を構成するシャフトを斜めに保ちながらその上端部を、支持具の側面部に形成された挿入孔に挿入することにより、吊掛具を支持具に支持させる構成となっている。
【０００７】
また、特許文献６に記載された吊掛装置においては、吊掛具を構成するシャフトの上端部に設けられた球状の固定部を、天井に固定された支持具において挟み込むように支持させるように構成されている。この構成においては、球状の固定部を支持具により挟持することにより、支持具が斜めの天井に取り付けられている場合においても、吊掛具を鉛直下方に吊り下げるようになされている。
【先行技術文献】
【特許文献】
【０００８】
【特許文献１】特開２００７−３１９６２５号公報
【特許文献２】特開２００７−３０７０８３号公報
【特許文献３】実用新案登録第２５１１９６８号
【特許文献４】特許第２６７３８７５号
【特許文献５】特許第３８８５０３１号
【特許文献６】特許第３０３４４６４号
【発明の概要】
【発明が解決しようとする課題】
【０００９】
しかしながら、特許文献１〜３の構成においては、使用者がシャフト状の吊掛具を捻る操作を行うことによって、当該吊掛具を支持具に支持させる構成となっており、この捻る操作は、通常は操作し易いものであるが、老人や手首関節に障害のある者が操作する際には、操作し難い問題があった。また、特許文献１〜３の構成においては、吊掛具を支持具に支持させる取り付け時に捻る方向と、取り外す際に捻る方向がそれぞれ決められているため、操作を誤り易いという問題もあった。
【００１０】
また、特許文献４及び５に示されている構成では、吊掛具のシャフトの上端部を横方向から支持具に挿入するといった細かい操作が必要となり、使用者にとって、操作し難い問題があった。特に、吊掛具を構成するシャフトの上端部を天井付近の支持具に支持させる場合、使用者からは上方の見難い箇所での細かな挿入操作となるため、支持具への取り付けが難しくなる。
【００１１】
さらに、特許文献６に示されている構成では、斜め天井においても、吊掛具を鉛直下方に吊り下げることができるものの、吊掛具を支持具に対して押え具を介してねじにより固定する構成となっており、使用者が簡単に吊掛具を着脱することは困難であった。
【００１２】
そこで、本発明は、簡単な操作によって、吊掛具を支持具に対して容易に着脱可能とする吊掛装置を提供することを目的とする。
【課題を解決するための手段】
【００１３】
本発明の実施の形態に係る特徴は、吊掛具と、当該吊掛具を支持する支持具とを有する吊掛装置であって、前記支持具は、前記吊掛具を挿脱可能とし、挿入された前記吊掛具の傾動動作に応じて移動する第１の移動部材と、前記第１の移動部材の移動動作に応じて、前記吊掛具をロックするロック動作及びロック解除するロック解除動作を繰り返すロック機構部と、を備え、前記吊掛具は、前記第１の移動部材に挿脱可能な第１の係合部と、前記ロック機構部の前記ロック動作により前記ロック機構部にロックされ、前記ロック解除動作によりロック解除されるロック係合部とを備えることである。
【００１４】
この構成によれば、吊掛具を第１の移動部材に挿入して傾動させるという簡単な操作によって、当該吊掛具を支持具に対して容易に着脱することができる。
【００１５】
本発明の実施の形態に係る特徴は、前記構成において、前記第１の移動部材は、前記吊掛具の前記第１の係合部を挿脱可能とする第２の係合部と、当該第２の係合部に挿入された前記吊掛具の傾動動作に応じて移動すると共に、当該移動方向に対して傾斜した第１傾斜面を有し、前記ロック機構部は、前記第１傾斜面と摺接する第２傾斜面を有し、前記第１の移動部材の移動に伴って、前記第１の移動部材の移動方向に対して直交成分を有する方向に移動すると共に、当該直交成分を有する移動方向に対して傾斜した第１摺接カム面を有する複数の第１カムが第１の筒体の周面においてその周方向に沿って所定間隔で順次形成された第２の移動部材と、前記複数の第１カムの前記第１摺接カム面に摺接される複数の第２カムが第２の筒体の周面においてその周方向に沿って所定間隔で順次形成され、前記第２の移動部材の移動に伴って前記第２の筒体が前記第２カムの配列方向に回動すると共に、当該回動方向に沿って複数の第３カムが順次形成されたカム部材と、前記第３カムに係合され、前記カム部材の回動に伴って、ロック動作及びロック解除動作を繰り返すロック部材とを備えることである。
【００１６】
この構成によれば、吊掛具の傾動動作に応じて第１の移動部材を移動させると共に、第２の移動部材、カム部材及びロック部材により、第１の移動部材の移動を、ロック部材によるロック動作及びロック解除動作に変換することができる。特に、第１の移動部材の移動が、第２の移動部材を介してカム部材の回動操作に変換されることにより、吊掛具の傾動により第１の移動部材を移動させるごとに（すなわち、吊掛具を傾動させるごとに）、カム部材が同一方向へ回動するようになされており、この構成により、ロック部材によるロック動作及びロック解除動作が繰り返されることになる。これにより、吊掛具を第１移動部材に挿入して傾動させるという簡単な操作によって、吊掛具を支持具に対して容易に着脱することができる。
【００１７】
本発明の実施の形態に係る特徴は、前記構成において、前記吊掛具は、シャフトと、前記シャフトの一方の先端部に設けられた前記第１の係合部と、前記シャフトの他方の先端部に設けられた引掛部とを備え、前記第１の係合部は、前記第１移動部材の凹状の前記第２の係合部に挿入される係合先端部と、前記係合先端部よりも径の大きな前記ロック係合部と、前記ロック係合部の径よりも小さな径の小径部とが、前記シャフトの前記一方の先端部から順次形成されていることである。
【００１８】
この構成によれば、吊掛具として、シャフトの先端部から順に、係合先端部、ロック係合部及び小径部が設けられることにより、支持具に対して着脱自在である吊掛具を簡単な構成によって実現することができる。
【００１９】
本発明の実施の形態に係る特徴は、前記構成において、前記引掛部は、楕円形状又は２つの円弧部を有するレーストラック形状に形成された環状であることである。
【００２０】
この構成によれば、楕円形状又はレーストラック形状の引掛部を有することにより、当該引掛部に物干竿等を容易に通すことができる。これにより、一段と使い勝手の良い吊掛装置を実現することができる。
【００２１】
本発明の実施の形態に係る特徴は、前記構成において、前記ロック部材は、前記吊掛具の前記小径部を挟むことにより、前記ロック動作し、ロック状態では、前記ロック係合部が前記ロック部材に係止されて前記吊掛具の下方への抜け落ちが係止されると共に、前記係合先端部は、前記吊掛具の自重により、前記第１の移動部材の前記凹状の第２の係合部から下方へ脱し、前記吊掛具は、前記ロック部材によるロック位置を支点として揺動可能に支持されることである。
【００２２】
この構成によれば、吊掛具が支持具にロックされた状態においては、吊掛具の先端に設けられた係合先端部が、支持具の第１移動部材から脱した状態となることにより、ロックしたままの状態で吊掛具を揺動可能とすることができる。これにより、物干し作業等における使い勝手を向上することができる。また、例えば、斜め天井に支持具を取り付けた場合においても、当該支持具にロックされた吊掛具を鉛直下方に吊り下げることが可能となる。
【００２３】
本発明の実施の形態に係る特徴は、前記構成において、前記カム部材には、前記第２の筒体の周面においてその周方向に沿って複数の山形の第４カムが順次形成され、前記第４カムに係合され、前記カム部材の回動に応じて前記カム部材の回動動作を補助する弾性体を備えることである。
【００２４】
この構成によれば、カム部材の回動動作を弾性体によって補助することにより、ロック動作及びロック解除動作を順次円滑に繰り返すことができる。
【発明の効果】
【００２５】
本発明によれば、簡単な操作によって、吊掛具を支持具に対して容易に着脱可能とする吊掛装置を提供することができる。
【図面の簡単な説明】
【００２６】
【図１】本実施の形態の吊掛装置を示す斜視図である。
【図２】吊掛具のロック動作又はロック解除動作の説明に供する斜視図である。
【図３】吊掛具のロック動作の説明に供する斜視図である。
【図４】吊掛装置の使用状態を示す斜視図である。
【図５】吊掛装置の使用状態を示す斜視図である。
【図６】吊掛具のロック解除動作の説明に供する斜視図である。
【図７】吊掛具の正面を示す正面図である。
【図８】吊掛具の右側面を示す側面図である。
【図９】吊掛具の上面を示す平面図である。
【図１０】吊掛具の底面を示す底面図である。
【図１１】吊掛具の係合部を示す正面図である。
【図１２】引掛部の他の実施の形態を示す正面図である。
【図１３】支持具の構成を示す断面図である。
【図１４】カム部材の上面を示す平面図である。
【図１５】カム部材の側面を示す側面図である。
【図１６】カム部材の断面を示す断面図である。
【図１７】カム部材の底面を示す底面図である。
【図１８】移動部材（第１の移動部材）を示す平面図及び断面図である。
【図１９】移動部材（第２の移動部材）の上面を示す平面図である。
【図２０】移動部材（第２の移動部材）の断面を示す断面図である。
【図２１】移動部材（第２の移動部材）の底面を示す底面図である。
【図２２】板バネを示す側面図及び底面図である。
【図２３】ロック操作における吊掛具の押し上げ状態を示す断面図である。
【図２４】吊掛具が傾動された際の移動部材の移動状態を示す断面図である。
【図２５】カムの係合状態を示す略線図である。
【図２６】カムの係合状態を示す略線図である。
【図２７】カムの係合状態を示す略線図である。
【図２８】筐体を示す断面図である。
【図２９】板バネを示す側面図及び正面図である。
【図３０】筐体の内部に設けられている各部材を上から見た状態を示す断面図である。
【図３１】筐体の内部に設けられている各部材を上から見た状態を示す断面図である。
【図３２】筐体の内部に設けられている各部材を上から見た状態を示す断面図である。
【図３３】筐体の内部に設けられている各部材を上から見た状態を示す断面図である。
【図３４】ロック部材がロック状態となって、吊掛具が下方へ抜け落ちないように支持具に支持される状態を示す断面図である。
【図３５】ロック状態における吊掛具の揺動可能状態を示す断面図である。
【図３６】ロック解除操作における吊掛具の押し上げ状態を示す断面図である。
【図３７】ロック解除操作における吊掛具の傾動動作を示す断面図である。
【図３８】他の実施の形態における第１の移動部材の構成を示す断面図である。
【図３９】他の実施の形態における第１の移動部材の構成を示す断面図である。
【図４０】他の実施の形態におけるカム部材の構成を示す断面図である。
【図４１】他の実施の形態における板バネの構成を示す斜視図である。
【図４２】他の実施の形態における吊掛具の引掛部の構成を示す正面図である。
【図４３】他の実施の形態における支持具の構成を示す断面図である。
【図４４】図４３の支持具の底面部を示す底面図である。
【発明を実施するための形態】
【００２７】
以下に、本発明に好適な実施形態について図面に基づいて説明する。
図１は、本実施の形態に係る吊掛装置１００の外観を示す斜視図である。図１に示すように、吊掛装置１００は、天井面１０１にねじ等により固定される支持具１０２と、支持具１０２に吊り下げられる吊掛具１０３とを有する。
【００２８】
吊掛具１０３は、支持具１０２に対して挿脱可能であり、図２に示すように、吊掛具１０３を支持具１０２の下面に設けられた挿入口１６１に挿入し、挿入した状態で吊掛具１０３をさらに上方（挿入方向）へ押し当てながら、例えば矢印ｂで示す方向に傾動動作させることにより、支持具１０２をロック動作させ、当該支持具１０２によって吊掛具１０３を吊り下げ可能な状態とするようになされている。また、支持具１０２によって吊掛具１０３が吊り下げられている状態において、上述した取り付け方法と同様にして、吊掛具１０３を上方（挿入方向）へ押し当てながら、矢印ｂで示す方向に傾動動作させることにより、支持具１０２をロック解除動作させ、吊掛具１０３を支持具１０２から取り外すことができるようになされている。なお、上述の操作例では、吊掛具１０３の傾動方向を矢印ｂ方向としているが、本実施の形態の吊掛装置１００においては、吊掛具１０３の取り付け操作及び取り外し操作のいずれにおいても、吊掛具１０３の傾動方向は、矢印ｂ方向に限らず、例えば、矢印ｂとは反対方向等、任意の方向のいずれであってもよい。このように、傾動操作の方向を限定していないことにより、誤操作の発生を未然に防止している。
【００２９】
図３（ａ）〜（ｃ）は、吊掛具１０３を支持具１０２に吊り掛ける際の取付け方法を示す斜視図である。図３（ａ）〜（ｃ）に示すように、支持具１０２の下面に設けられた挿入口１６１に吊掛具１０３を挿入し（図３（ａ））、挿入した状態で吊掛具１０３をさらに矢印ａで示す上方の挿入方向へ押し当てながら（図３（ｂ））、当該吊掛具１０３の軸を傾けることにより（すなわち、矢印ｂで示す方向等に傾動させることにより）（図３（ｃ））、支持具１０２がロック動作し、これにより吊掛具１０３が支持具１０２によって支持され、挿入口１６１から抜け落ちない吊り下げ状態となる。なお、図３（ｃ）では、吊掛具１０３の下端部を図中右方向（矢印ｂ方向）へ押すことにより、当該吊掛具１０３をその上端部を中心に傾動させているが、上述したように、吊掛具１０３の下端部を矢印ｂとは反対方向や、紙面に垂直な方向等、いずれの方向に押しても（吊掛具１０３の軸をいずれの方向へ傾動させても）、支持具１０２がロック動作するようになされている。
【００３０】
支持具１０２に吊掛具１０３が吊り下げられた状態においては、図４に示すように、吊掛具１０３の下端部に設けられた環状の引掛部１３３にハンガー５１を掛けることができ、又は、図５に示すように、２つの吊掛装置１００によって、物干竿５２を掛け渡すことができる。
【００３１】
また、図６（ａ）〜（ｃ）は、支持具１０２に支持されたロック状態にある吊掛具１０３を、支持具１０２から取り外す方法を示す斜視図である。図６（ａ）に示すように、支持具１０２がロック状態となって、当該支持具１０２によって吊掛具１０３が支持され吊り下げられている場合において（図６（ａ））、吊掛具１０３を矢印ａで示す上方へ押し当てながら当該吊掛具１０３の軸を傾けることにより（すなわち、矢印ｂで示す方向等に傾動させることにより）（図６（ｂ））、支持具１０２がロック解除動作し、これにより、支持具１０２の挿入口１６１から矢印ｃで示す下方へ吊掛具１０３を抜き取ることができる（図６（ｃ））。なお、図６（ｂ）では、吊掛具１０３の下端部を図中右方向（矢印ｂ方向）へ押すことにより、当該吊掛具１０３をその上端部を中心に傾動させているが、上述したように、吊掛具１０３の下端部を矢印ｂとは反対方向や、紙面に垂直な方向等、いずれの方向に押しても（吊掛具１０３の軸をいずれの方向へ傾動させても）、支持具１０２がロック解除動作するようになされている。
【００３２】
このように、本実施の形態の吊掛装置１００においては、支持具１０２に挿入された吊掛具１０３を上方（矢印ａ方向）に押し当てながら傾動動作させることにより、支持具１０２において、吊掛具１０２に対するロック動作及びロック解除動作が繰り返されるようになされている。
【００３３】
次に、吊掛具１０３の構成について説明する。図１との対応部分に同一符号を付して示す図７は、吊掛具１０３の正面を示す正面図であり、図８は、図７の吊掛具１０３の右側面を示す側面図であり、図９は、図７の吊掛具１０３の上面を示す平面図であり図１０は、図７の吊掛具１０３の底面を示す底面図である。なお、吊掛具１０３の背面は、図７の正面図に示す構成と同様の構成を有しており、また、吊掛具１０３の左側面は、図８の右側面を示す側面図と同様の構成を有している。
【００３４】
図７〜図１０に示すように、吊掛具１０３は、円柱形状又は中空円筒形状でなる所定長さのシャフト１３１と、シャフト１３１の一方の先端部（上端部）に設けられた係合部（第１の係合部）１３２と、シャフト１３１の他方の先端部（下端部）に設けられた引掛部１３３とを有する。本実施の形態の場合、シャフト１３１はステンレスパイプ（ＳＵＳ３０４）等の金属材料で構成されており、係合部１３２はステンレス（ＳＵＳ３０４）等の加工に適した金属材料で構成されており、また、引掛部１３３は、ＡＢＳ樹脂等の樹脂材料によって構成されている。シャフト１３１と係合部１３２とはカシメ等の方法により結合されている。なお、シャフト１３１の材質としては、ステンレスパイプに限らず、アルミパイプ又はスチールパイプ等を用いることができる。
【００３５】
図１１に示すように、係合部１３２は、支持具１０２の挿入口１６１に挿入される部位であり、係合先端部１３５と、係合先端部１３５よりも径の大きなロック係合部１３６と、ロック係合部１３６の径よりも小さな径の小径部１３７とが、シャフト１３１の先端部から順次形成されている。
【００３６】
本実施の形態の場合、係合先端部１３５は、その先端部に曲面状の面取部１３５Ａが形成されており、支持具１０２に挿入される際に、支持具１０２の挿入口１６１や内部に傷が付くことを防止している。
【００３７】
また、ロック係合部１３６は、係合先端部１３５から次第に径が大きくなる傾斜面１３６Ａと、小径部１３７へ向かって次第に径が小さくなる傾斜面１３６Ｂとを有している。
【００３８】
一方、図１に示したように、シャフト１３１の他方の先端部は、吊掛具１０３が支持具１０２に吊り下げられた使用状態において、下端部に位置する部位であり、ここには引掛部１３３が設けられている。本実施の形態の場合、引掛部１３３は、吊掛具１０３の吊り下げ方向に長径を有し２つの円弧部を有するレーストラック形状の環状に形成されており、この環状部にハンガー５１や物干竿５２（図４、図５）を通して使用する。このように、長径部を有する環状の引掛部１３３を用いることにより、ハンガー５１や物干竿５２を通し易くなっている。なお、引掛部１３３の形状は、レーストラック形状に限らず、例えば、図１２に示すように、吊り下げ方向に長径を有する楕円形状であっても良く、要は、吊り下げ方向に長径を有する環状であれば、種々の形状を適用することができる。
【００３９】
次に、支持具１０２の構成について説明する。図１に示したように、支持具１０２は、天井面１０１にねじ等により固定されて使用されるものであり、その下面部には、吊掛具１０３の係合部１３２を挿入するための挿入口１６１が設けられている。
【００４０】
図１３は、支持具１０２の構成を示す断面図である。図１３に示すように、支持具１０２は、天井面１０１にねじ止めされる筐体１７０と、この筐体１７０の内部に収納される移動部材（第１の移動部材）１９０、移動部材（第２の移動部材）２１０、カム部材２３０、ロック部材２５０、２６０及び板バネ２７０、２８０によって主に構成される。また、これらの構成部品は、ケース１６０によって覆われる。移動部材（第１の移動部材）１９０、移動部材（第２の移動部材）２１０、カム部材２３０及びロック部材２５０、２６０は、亜鉛ダイキャスト等の金属材料で構成され、ケース１６０は、樹脂材料によって構成されている。また、板バネ２７０、２８０は、ステンレス材料等が用いられる。
【００４１】
ケース１６０及び筐体１７０には、吊掛具１０３の係合部１３２を挿入するための挿入口１６１、１７１が形成されている。挿入口１７１は、下方に向かってその開口部が大きくなるように形成されており、挿入時に吊掛具１０３の係合先端部１３５をガイドするようになされている。また、この挿入口１７１の端面部は、吊掛具１０３を傾動させる際の支点となる。この挿入口１６１、１７１から挿入される吊掛具１０３の係合部１３２の挿入空間を確保するように、移動部材２１０の一部を構成する筒体（第１の筒体）２１１及びカム部材２３０の一部を構成する筒体（第２の筒体）２３１が配置されている。
【００４２】
図１４は、カム部材２３０の上面を示す平面図であり、図１５は、カム部材２３０の側面を示す側面図であり、図１６は、図１４のＡ−Ａ線を断面にとって示すカム部材２３０の断面図であり、図１７は、カム部材２３０の底面を示す底面図である。
【００４３】
図１４〜図１７に示すように、カム部材２３０は、筒体２３１と、この筒体２３１の上端面であって、移動部材（第１の移動部材）１９０を２次元平面上の任意の方向へ摺動可能に載置する摺動面２３２と、筒体２３１の外周面においてその周方向に順次形成された複数のカム（第２カム）２３３と、筒体２３１の外周面から突出したフランジ２３５の下端面において、筒体２３１の周方向に順次形成された複数の山形のカム（第４カム）２３６と、筒体２３１の下端部に形成されたスカート部２３８の内周面において、その周方向に順次形成された複数のカム（第３カム）２４１とを有する。
【００４４】
カム２３３は、後述する移動部材（第２の移動部材）２１０に設けられたカム（第１カム）２１４の摺接面（第１摺接カム面）２１４Ａと摺接する摺接面２３３Ａをそれぞれ有している。カム２１４の摺接面２１４Ａは、移動部材２１０の移動方向（すなわち、カム２１４の移動方向（上下方向））に対して傾斜しており、この摺接面２１４Ａに摺接するカム２３３の摺接面２３３Ａも同様の傾斜を有している。これにより、移動部材２１０が上方向に移動した際に、カム２１４の摺接面２１４Ａによってカム２３３の摺接面２３３Ａが上方へ押されて、カム２３３（すなわちカム部材２３０）は、図１７において矢印ｅで示すように、カム部材２３０の筒体２３１の周方向（挿入された吊掛具１０３の軸回り）に回動するようになされている。このように、カム２３３は、移動部材２１０の上下動を、カム部材２３０の回動動作に変換するものである。因みに、本実施の形態の場合、カム２３３の摺接面２３３Ａは、カム２３３の回動方向に対して、39°の角度で構成されている。
【００４５】
また、複数のカム２４１は、それぞれ同様の形状を有しており、このカム２４１の動き（カム部材２３０の回動動作）によって、従節としてのロック部材２５０、２６０をロック動作及びロック解除動作させるようになされている。すなわち、図１７に示すように、各カム２４１は、なだらかな傾斜面２４１Ａと、急峻な傾斜面２４１Ｂとを有する山形に形成されており、この傾斜面２４１Ａ及び２４１Ｂに従節としてのロック部材２５０、２６０（後述）が摺接するようになされている。カム部材２３０が矢印ｅ方向へ回動することに応じて、カム２４１の傾斜面２４１Ａ及び２４１Ｂが順次ロック部材２５０、２６０に係合する。これにより、ロック部材２５０、２６０は、傾斜面２４１Ａに連動したロック動作及び傾斜面２４１Ｂに連動したロック解除動作を繰り返すことになる。ロック部材２５０、２６０は、傾斜面２４１Ａと傾斜面２４１Ｂとの間の山形の頂点に押されている間において、最も大きく押されて（回動して）、吊掛具１０３のロック係合部１３６（図１１）をロックするようになされている。
【００４６】
また、複数のカム２３６は、それぞれ同様の形状を有しており、板ばね（弾性体）２７０、２８０（後述）を係合し、板ばね２７０、２８０の弾性力によって、カム部材２３０の回動動作を補助するようになされている。
【００４７】
次に、移動部材１９０について説明する。上述したカム部材２３０の筒体２３１の上端部に形成された摺動面２３２には、移動部材１９０が摺動可能に載置される。移動部材１９０は、この２次元平面でなる摺動面上を任意の方向に摺動することにより、当該摺動面２３２に沿って２次元方向に移動可能となっている。本実施の形態の場合、支持具１０２が水平な天井面１０１（図１）に取り付けられていることにより、この支持具１０２に設けられるカム部材２３０の摺動面２３２も天井面１０１に略平行となり、これにより、移動部材１９０は、天井面１０１に沿って水平方向に摺動する。
【００４８】
図１８（ａ）は、移動部材１９０の上面を示す平面図であり、図１８（ｂ）は、図１８（ａ）のＢ−Ｂ線を断面にとって示す断面図である。図１８（ａ）及び（ｂ）に示すように、移動部材１９０は、略円錐形状の外観形状を有しており、カム部材２３０の摺動面２３２に載置される底面部１９１には、吊掛具１０３の係合部１３２の係合先端部１３５（図１１）を挿入するための凹部１９２が形成されている。円錐形の側面（円錐面）は、カム部材２３０の摺動面２３２（すなわち、移動部材１９０の移動方向）に対して傾斜した傾斜面（第１傾斜面）１９５を構成している。すなわち、傾斜面１９５は、底面部１９１（移動部材１９０の移動方向）に対して所定角度で傾斜している。
【００４９】
底面部１９１に設けられた凹部１９２は、吊掛具１０３の円柱形状の係合先端部１３５を挿入し得る円柱形状の空間を形成し、その径は、係合先端部１３５の径よりも僅かに大きく形成されている。これにより、係合先端部１３５を凹部１９２に挿入した状態で吊掛具１０３を、図２において矢印ｂで示した方向等に斜めに傾動させることができる。そして、吊掛具１０３を傾動させることにより、移動部材１９０は、係合先端部１３５の傾動に応じてロック部材２３０の摺動面２３２上を摺動しながら、当該摺動面２３２に沿って、吊掛具１０３の傾動操作に応じた方向に移動するようになされている。
【００５０】
図１９は、移動部材（第２の移動部材）２１０の上面を示す平面図であり、図２０は、図１９のＣ−Ｃ線を断面にとって示す断面図であり、図２１は、移動部材２１０の底面を示す底面図である。
【００５１】
図１９〜図２１に示すように、移動部材２１０は、筒体２１１と、この筒体２１１の上端部に形成され、移動部材１９０を挿通させるための挿通孔２１２と、筒体２１１の外周面に形成されたフランジ２１３と、筒体２１１の内周面においてその周方向に順次形成された複数のカム（第１カム）２１４とを有する。
【００５２】
挿通孔２１２の開口端面２１２Ａは、挿通孔２１２に挿通される移動部材１９０の傾斜面１９５と同様角度（本実施の形態の場合45°）でなる傾斜面を構成しており、移動部材１９０がカム部材２３０の摺動面２３２に沿って摺動した際に、移動部材２１０は、その開口端面２１２Ａが移動部材１９０の傾斜面１９５に押されて、移動部材１９０の移動方向（本実施形態の場合、摺動面２３２に沿った横方向）に対して直交成分を持つ方向（本実施形態の場合、上方向）に移動するようになされている。
【００５３】
ここで、天井面１０１と筐体１７０の間には、図２２に示す板バネ２９０が介挿されることにより、当該板バネ２９０が天井面１０１に固定されており、板バネ２９０に設けられたバネ部２９１が、移動部材２１０のフランジ２３５（図１５、図１６）を下方に付勢するように構成されている。なお、図２２（ａ）は、板バネ２９０の側面を示す側面図であり、図２２（ｂ）は、板バネ２９０の底面を示す底面図である。これにより、移動部材１９０の凹部１９２（図１８）に吊掛具１０３が挿入されていないフリーの状態においては、バネ部２９１によって移動部材２１０が下方に押圧されることにより、移動部材１９０は、カム部材２３０の摺動面２３２の略中央に位置するようになされている。この場合、移動部材２１０がバネ部２９１によって下方へ押圧されることにより、移動部材２１０は、カム部材２３０のフランジ２３５の上面に当接した状態となる。
【００５４】
この状態において、図１３に示したように、吊掛具１０３の係合部１３２が支持具１０２の挿入口１６１から挿入し、さらに吊掛具１０３を上方に押し付けると、図２３に示すように、移動部材１９０の凹部１９２に吊掛具１０３の係合先端部１３５が挿入される。そして、この状態から吊掛具１０３を傾動させることにより、図２４に示すように、当該吊掛具１０３は、そのシャフト１３１の一部が、筐体１７０の挿入口１７１に当接し、この当接部分Ｐを支点として、吊掛具１０３が傾動する。
【００５５】
これにより、吊掛具１０３の係合先端部１３５は、吊掛具１０３の傾動に伴って横方向に傾くことにより、係合先端部１３５が挿入された移動部材１９０は、吊掛具１０３の傾動方向に応じた方向である矢印ｆ方向（横方向）に移動する。
【００５６】
移動部材１９０が横方向に移動すると、当該移動部材１９０の傾斜面１９５（図１８）によって移動部材２１０の挿通孔２１２の開口端面２１２Ａが押されることにより、移動部材２１０は板バネ２９０の付勢力に抗して上方へ移動する。
【００５７】
移動部材２１０のカム２１４は、移動部材２１０が下方に下がっている状態においては、当該カム２１４と、カム部材２３０のカム２３３とは係合しない状態となっており、移動部材２１０が上方へ移動することにより、カム２１４の摺接面２１４Ａとカム２３３の摺接面２３３Ａ（図１５）とが摺接する。
【００５８】
かくして、吊掛具１０３を傾動させていくと、移動部材２１０の上昇に伴って、まず、カム２１４の摺接面２１４Ａとカム２３３の摺接面２３３Ａ（図１５）とが摺接し、さらに吊掛具１０３を傾動させて移動部材を上昇させることで、カム２１４の摺接面２１４Ａとカム２３３の摺接面２３３Ａ（図１５）との摺接動作によって、カム部材２３０が回動することになる。因みに、移動部材２１０には、その外周部において外方へ突出する突出部２１６が形成されており（図１９、図２１）、この突出部２１６が筐体１７０に係止されることで、回動しないようになされている。これにより、移動部材２１０は上下方向のみの移動が可能となり、移動部材２１０の上昇に応じて、カム部材２３０のみが回動するようになされている。
【００５９】
図２５〜図２７は、カム２１４及び２３３の係合状態を示す略線図である。図２５（ａ）及び図２６に示すように、移動部材２１０が板バネ２９０のバネ部２９１に押されて下方に位置する状態（図２３）においては、カム２１４及びカム２３３は係合していない状態となる。この状態において、カム２１４の摺接面２１４Ａとカム２３３の摺接面２３３Ａとは、重複範囲Ｌ１において上下方向から対向した状態となっている。
【００６０】
そして、移動部材２１０が上昇すると、図２５（ｂ）及び図２７に示すように、まず、重複範囲Ｌ１において、カム２１４の摺接面２１４Ａとカム２３３の摺接面２３３Ａとが接触し、この状態からさらに移動部材２１０が矢印ａ方向へ上昇することで、カム２３３（すなわちカム部材２３０）は、矢印ｅ方向へ回動する。
【００６１】
移動部材２１０の最上昇位置は、図２４に示すように、移動部材１９０の底面部１９１（図１８）の外周部１９３が、移動部材２１０の内周面２１５に当接する位置によって決定される。この移動部材２１０の最上昇位置においては、移動部材２１０がそれ以上上昇しないことにより、当該移動部材２１０のカム２１４によって回動されるカム２３３（カム部材２３０）が最も矢印ｅ方向に回動した状態となる。本実施の形態においては、このカム部材２３０を、さらに矢印ｅ方向へ回動させる回動動作の補助手段として、板バネ２７０、２８０が設けられている（後述）。本実施の形態の場合、カム２１４、２３３が筒体２１１、２３１の円周方向にそれぞれ８個ずつ等間隔に配列されており、移動部材２１０の上昇に応じてカム部材２３０が矢印ｅ方向へ回動することに加えて補助手段によりさらにカム部材２３０が回動することにより、カム部材２３０は、１つのカム２３３についての円周方向の形成角度（22.5°）以上回動可能となっている。
【００６２】
すなわち、図１５〜図１７に示したように、カム部材２３０のフランジ２３５の下端面には、筒体２３１の周方向に山形のカム２３６が順次形成されており、筐体１７０には、カム２３６と係合する板バネ２７０、２８０が設けられている。図２８は、筐体１７０を示す断面図であり、図２９は、板バネ２７０、２８０を示す側面図及び正面図である。なお、板バネ２７０及び２８０は同様の構成を有している。
【００６３】
図２８に示すように、筐体１７０は、全体が碗型に形成されており、その底部に吊掛具１０３の係合先端部１３５を挿入するための挿入口１７１が形成され、また上部には天井面１０１にねじ止めするためのねじ孔１７２が形成されている。また、内周部には、板バネ２７０（２８０）を保持するための凹部１７３が形成されており、この凹部１７３において板バネ２７０（２８０）の屈曲部２７１（２８１）を支持する。
【００６４】
図２９に示すように、板バネ２７０（２８０）は、両端を屈曲部２７１（２８１）において屈曲した板状部材であり、さらに中央付近に山形の屈曲部２７３（２８３）を有している。この山形の屈曲部２７３（２８３）の頂点部２７４（２８４）は、板バネ２７０（２８０）が筐体１７０に取り付けられた状態において、カム部材２３０の山形のカム２３６に接触するようになされている。
【００６５】
図３０は、筐体１７０の内部に設けられている各部材を上から見た状態を示す断面図である。図３０に示すように、筐体１７０に設けられた板バネ２７０、２８０は、その屈曲部２７３、２８３の頂点部２７４、２８４がカム部材２３０のカム２３６に接触し、外部から力を加えない状態においては、板バネ２７０、２８０の弾性力によって、頂点部２７４、２８４が隣接する２つのカム２３６の間の谷部に挿入された状態を保つようになされている。この状態は、図２５（ａ）及び図２６に示したように、移動部材２１０のカム２１４の摺接面２１４Ａと、カム部材２３０のカム２３３の摺接面２３３Ａとが、重複範囲Ｌ１で上下方向から対向する状態である。
【００６６】
そして、吊掛具１０３を傾動させることにより、移動部材１９０を横方向へ移動させ、これに応じて移動部材２１０が上昇を始めると、図３１に示すように、カム部材２３０は、矢印ｅ方向へ回動を開始する。この回動に伴って、板バネ２７０、２８０の屈曲部２７３（２８３）は、まず、カム２３６の一方の傾斜面２３６Ａに当接し、当該傾斜面２３６Ａに押されて板バネ２７０、２８０がその弾性力に抗して全体的に撓み始める。なお、筐体１７０には、板バネ２７０、２８０の屈曲部２７３、２８３の屈曲形状に合わせた曲面部１７４が形成されており、板バネ２７０、２８０が撓んだ際に、当該板バネ２７０、２８０の屈曲部２７３、２８３が、筐体１７０の曲面部１７４に沿って係合されるようになされている（図３１、図３２）。これにより、板バネ２７０、２８０のずれ等が防止される。
【００６７】
そして、図３２に示すように、カム２３６の頂点部２３６Ｃが、板バネ２７０、２８０の屈曲部２７３、２８３の頂点部２７４、２８４を乗り越えると、屈曲部２７３、２８３の頂点部２７４、２８４は、カム２３６の他方の傾斜面２３６Ｂに当接する。この場合、屈曲部２７３、２８３の頂点部２７４、２８４は、板バネ２７０、２８０の弾性力によって、傾斜面２３６Ｂを押すことにより、カム２３６（カム部材２３０）は、この板バネ２７０、２８０による押圧力によって補助されて、さらに矢印ｅ方向への回動を続けることになる。
【００６８】
ここで、カム２３６の頂点部２３６Ｃが、板バネ２７０、２８０の屈曲部２７３、２８３の頂点部２７４、２８４を乗り越えるタイミングは、図２４及び図２５（ｂ）に示したように、移動部材２１０が最上昇位置まで上昇したタイミング又はそれよりも前のタイミングとなるように構成されている。これにより、移動部材２１０が最上昇位置まで上昇したときには、カム部材２３０は、板バネ２７０、２８０の弾性力によって回動を続けることになる。そして、図３３に示すように、板バネ２７０、２８０の頂点部２７４、２８４が、隣接する２つのカム２３６の間の谷部に挿入された状態でカム部材２３０の回動が停止する。因みに、カム２３６の頂点部２３６Ｃが、板バネ２７０、２８０の屈曲部２７３、２８３の頂点部２７４、２８４を乗り越える際のクリック感と音が、吊掛具１０３を傾動操作する使用者に伝わることにより、使用者は、後述するロック状態又はロック解除状態となったことを認識できるようになされている。このように使用者にロック状態、ロック解除状態を認識させることにより、使用者に操作の目安を提供することができると共に、使用者が必要な角度以上の傾動操作を行うことを防止することができる。
【００６９】
本実施の形態においては、カム２１４、２３０は、円周上に各々８個ずつ設けられており、これに応じて、カム２３６も円周上に８個設けられている。そして、カム２３６の頂点部２３６Ｃは、隣接するカム２３６の谷部の間の距離の１／２の距離よりも傾斜面２３６Ａ側に変位した位置に形成されている。これにより、移動部材２１０が最上昇位置に到達する以前に、カム２３６の頂点部２３６Ｃが、板バネ２７０、２８０の屈曲部２７３、２８３の頂点部２７４、２８４を乗り越えるようになされており、板バネ２７０、２８０による補助により、移動部材２１０が最上昇位置に移動した後も、カム部材２３０を確実に回動させることができる。また、本実施の形態の場合、隣接するカム２３６は、円周方向に４５°ごとに合計８個設けられている。このカム２３６の数が少なくなると、カム２３６の傾斜面２３６Ａ、２３６Ｂがなだらかになることにより、その分、板バネ２７０、２８０の弾性力を強くする必要があり、このようにすると、カム部材２３０を回動させるための力（すなわち、吊掛具１０３を傾動させるために必要な力）をより必要とすることになるため、操作性が悪くなる。従って、本実施の形態に示したように、８個のカム２３６を設けることが好ましい。
【００７０】
このようにして、板バネ２７０、２８０によってカム部材２３０の回動動作が補助され、図２５（ａ）、図２６に示したように、カム２１４の摺接面２１４Ａとカム２３３の摺接面２３３Ａとが重複範囲Ｌ１において対向した状態となり、次の回動動作への準備が完了する。
【００７１】
以上は、カム部材２３０の回動動作についての説明であるが、次に、ロック部材２５０、２６０によるロック動作及びロック解除動作について説明する。
【００７２】
移動部材１９０の凹部１９２へ挿入された吊掛具１０３の傾動動作によって、移動部材１９０が横方向（矢印ｆ方向（図２４））へ移動する毎に、ロック部材２５０、２６０は、ロック動作及びロック解除動作を順次繰り返すようになされている。このロック動作及びロック解除動作は、カム部材２３０に設けられたカム２４１（図３０〜図３３）に対して、従節であるロック部材２５０、２６０が係合することにより、カム部材２３０の回動動作に応じて繰り返す。
【００７３】
すなわち、筐体１７０（図２８）には、その底面部に凹部１７５、１７６が設けられており、ロック部材２５０、２６０の回動軸２５１、２６１は、この凹部１７５、１７６に回動可能に軸支されている。これにより、ロック部材２５０、２６０は、図３０において、それぞれ矢印ｇ、ｈで示す方向及び反対方向へ回動可能に軸支される。ロック部材２５０は、所定の弾性部材（コイルバネ等）によって、常に矢印ｇ方向へ回動付勢されており、また、ロック部材２６０は、所定の弾性部材（コイルバネ等）によって、常に矢印ｈ方向へ回動付勢されている。すなわち、ロック部材２５０、２６０の先端部２５２、２６２は、常にカム２４１に係合した状態となっている。
【００７４】
そして、図１３に示したように、移動部材１９０がカム部材２３０の摺動面２３２の略中央部分に位置し、移動部材２１０が下方に位置する初期状態においては、図２５（ａ）、図２６に示したように、移動部材２１０のカム２１４とカム部材２３０のカム２３３とが互いに係合せずに対向し、この状態において、図３０に示すように、ロック部材２５０、２６０は、カム２４１の肉薄部分（谷部）に当接することにより、矢印ｇ方向、ｈ方向に最も回動した状態となる。この状態は、吊掛具１０３のロック係合部１３６は、ロック部材２５０、２６０にロックされない状態である。
【００７５】
そして、この状態から、吊掛具１０３を傾動動作させて移動部材１９０を横方向に移動させると、これに応じて移動部材２１０が上昇を開始し、これに応じてカム部材２３０が回動を開始する。この回動に伴って、カム２４１が矢印ｅ方向へ回動することにより、図３１及び図３２に示すように、ロック部材２５０、２６０の先端部２５２、２６２は、それぞれ、カム２４１のなだらかな傾斜面２４１Ａに沿って当該傾斜面２４１Ａから押されることにより、ロック部材２５０、２６０は、矢印ｇとは反対方向、矢印ｈとは反対方向へ徐々に回動する。そして、ロック部材２５０、２６０の先端部２５２、２６２がカム２４１の山形の頂点部２４１Ｃに到達すると、図３３に示すように、ロック部材２５０、２６０は、矢印ｇ方向とは反対方向、矢印ｈ方向とは反対方向に最も大きく回動した状態となる。この状態においては、ロック部材２５０、２６０によって、吊掛具１０３のロック係合部１３６がロックされた状態となる。このロック状態において、ロック係合部１３６は、ロック部材２５０、２６０よりも上方に位置することにより、下方に抜け落ちないようになされている。
【００７６】
因みに、ロック係合部２５０、２６０の先端部２５２、２６２がカム２４１の傾斜面２４１Ａに係合されている状態において、カム部材２３０の山形のカム２３６の頂点部２３６Ｃが板バネ２７０、２８０の頂点部２７４、２８４を乗り越えることにより、この状態以降、ロック部材２５０、２６０の先端部２５２、２６２がカム２４１の頂点部２４１Ｃに達するまで、カム部材２３０の矢印ｅ方向への回動は、板バネ２７０、２８０の弾性力によって補助されることになる。これにより、カム部材２３０は、ロック部材２５０、２６０の先端部２５２、２６２がカム２４１の頂点部２４１Ｃに達するまで確実に回動する。
【００７７】
このようにして、図３０から図３３に示したように、カム２４１の肉薄部分（谷部）から頂点部２４１Ｃまで、なだらかな傾斜面２４１Ａをロック部材２５０、２６０の先端部２５２、２６２が登るように摺動することで、吊掛具１０３に対するロック動作が行われる。
【００７８】
かくして、吊掛具１０３を支持具１０２へ挿入し（図１３、図２３）、吊掛具１０３を傾動させることにより（図２４）、図３４に示すように、ロック部材２５０、２６０がロック状態となって、吊掛具１０３が下方へ抜け落ちないように、支持具１０２に支持される。
【００７９】
この状態においては、図３５に示すように、吊掛具１０３はその自重により、係合先端部１３５が移動部材１９０の凹部１９２から下方へ抜け出た状態となり、この状態でロック部材２５０、２６０に吊り下げされる。ここで、カム部材２３０の筒体２３１の内部には、吊掛具１０３の係合先端部１３５が揺動可能な空間が確保されていることにより、吊掛具１０３は、ロック部材２５０、２６０によりロックされて吊り下げられている状態においても、揺動可能となっている。本実施の形態の場合、吊掛具１０３は、鉛直方向に吊り下げられた状態から、最大20°の角度だけ傾けることが可能となっている。このように、吊掛具１０３がロック状態において揺動可能となっていることにより、使い勝手が向上すると共に、例えば、傾斜を持ったいわゆる斜め天井に支持具１０２を取り付けた場合においても、当該支持具１０２に吊り下げられた吊掛具１０３を鉛直方向に保つことができる。
【００８０】
以上は、吊掛具１０３を支持具１０２（ロック部材２５０、２６０）によってロックするロック動作について説明したが、次に、ロック解除動作について説明する。
【００８１】
図１７、図３０〜図３３に示したように、ロック部材２５０、２６０を従節とするカム部材２３０のカム２４１は、カム部材２３０のスカート部２３８（図１６）の内周面において、その周方向に順次形成されており、これにより、カム部材２３０の回動動作に応じて、ロック部材２５０、２６０は同様の動作を繰り返すようになされている。すなわち、カム部材２３０の回動動作により、ロック部材２５０、２６０の先端部２５２、２６２の係合位置が、カム２４１の肉薄部分（谷部）から傾斜面２４１Ａを介して頂点部２４１Ｃへ達することで、上述したロック動作が行われ、これに続いて、カム部材２３０の回動動作に伴って、ロック部材２５０、２６０の先端部２５２、２６２の係合位置が、カム２４１の頂点部２４１Ｃから急峻な傾斜面２４１Ｂを介して肉薄部分（谷部）へ達することで、ロック解除動作が行われる。
【００８２】
すなわち、図３４及ぶ図３５に示したロック状態において、図３６に示すように、再度吊掛具１０３を上方へ押し付けて、当該吊掛具１０３の係合先端部１３５を移動部材１９０の凹部１９２へ挿入し、吊掛具１０３を傾動させることにより、図３７に示すように、移動部材１９０が矢印ｆで示す横方向へ移動する。そして、ロック動作の場合と同様にして、移動部材１９０の横方向への移動に応じて、移動部材２１０が上昇し、これに応じて、カム部材２３０が回動する。図３３に示したロック状態にあるロック部材２５０、２６０は、カム部材２３０の回動動作（カム２４１の矢印ｅ方向への回動動作）によって、カム２４１に係合するロック部材２５０、２６０がそれぞれ矢印ｇ方向、矢印ｈ方向へ回動することにより、当該カム部材２５０、２６０は、図３０に示したロック解除状態に戻る。このロック解除動作においては、ロック部材２５０、２６０の先端部２５２、２６２が、カム２４１の急峻な傾斜面２４１Ｂを駆け下りるように摺動することにより、一気に矢印ｇ方向、矢印ｈ方向へ回動する。すなわち、ロック解除動作においては、ロック部材２５０、２６０が短時間でロック解除される。
【００８３】
なお、このロック解除動作においても、カム部材２３０の回動動作に応じて、山形のカム２３６の頂点部２３６Ｃが板バネ２７０、２８０の頂点部２７４、２８４を乗り越える際のクリック感及び音が、吊掛具１０３を傾動操作する使用者に伝わることにより、ロック解除されたことを当該使用者に認識させることができる。
【００８４】
かくして、吊掛具１０３が支持具１０２に吊り下げられたロック状態において、吊掛具１０３を支持具１０２へ挿入し（図３６）、吊掛具１０３を傾動させることにより（図３７）、
ロック部材２５０、２６０がロック解除状態となって（図２３、図３０）、吊掛具１０３が下方へ脱する状態となる。
【００８５】
このように、吊掛装置１００においては、回動動作するカム部材２３０のカム２４１として、ロック部材をロック動作させる傾斜面２４１Ａ及びロック解除動作させる傾斜面２４１Ｂが順次回動方向に形成されたものを用いることで、ロック動作及びロック解除動作を繰り返すことができある。
【００８６】
すなわち、ロック解除状態において、吊掛具１０３を支持具１０２へ挿入し、上方に押さえて任意の方向へ傾動操作することにより、支持具１０２により吊掛具１０３がロックされ、また、ロック状態において、吊掛具１０３を上方に押さえて任意の方向へ傾動操作することにより、支持具１０２による吊掛具１０３のロックが解除される。
【００８７】
また、ロック部材２５０、２６０にロック動作及びロック解除動作させるための構成として、カム部材２３０の上端面である摺動面２３２において、吊掛具１０３の傾動動作により移動する移動部材１９０を設け、この移動部材１９０が摺動面２３２上を２次元平面の任意の方向へ摺動可能とし、さらにこの移動部材１９０として円錐形のものを用いると共に、この円錐方の側面（円錐面）である傾斜面１９５に当接する移動部材２１０の挿通孔２１２を円形の開口形状とすることにより、移動部材１９０が摺動面２３２上をどの方向に摺動しても、移動部材２１０を上昇動作させることができる。これにより、吊掛具１０３をどの方向へ傾動操作しても、支持具１０２においてロック動作及びロック解除動作をさせることができる。
【００８８】
（他の実施の形態）
（１）  上述の実施の形態においては、移動部材１９０の底面部１９１に設けられた凹部１９２として、図１８（ｂ）に示したように、円柱状の空間を形成する場合について述べたが、これに限られるものではなく、例えば、図１８との対応部分に同一符号を付して示す図３８に示すように、底面部１９１における開口部が小さく、内部にかけて次第に内径が大きくなる形状としてもよい。
【００８９】
（２）  上述の実施の形態においては、円錐形状の移動部材１９０を用いる場合について述べたが、これに限られるものではなく、例えば、図３９に示すように、上面３９３が底面３９１よりも小さな断面台形状の立体であって、側面３９６、３９７が平行であり、傾斜面３９５を有する立体である移動部材３９０を用いるようにしてもよい。この場合、カム部材２３０の摺動面２３２上を当該移動部材３９０がその傾斜面３９５を有する方向（矢印ｊ方向）に摺動するように構成し、移動部材２１０の開口端面２１２Ａ（図２０）が傾斜面３９５に当接するようにすれば、移動部材３９０の移動方向（矢印ｊ方向）を一定方向に決めることができる。この場合、吊掛具１０３の傾動方向も限定されることになる。
【００９０】
（３）  上述の実施の形態においては、図１６に示したように、カム部材２３０のフランジ２３５の下側にカム２３６を設ける場合について述べたが、これに限られるものではなく、例えば、図４０に示すように、スカート部２３８の上部にカム２３６を設けるようにしてもよく、要は、カム部材２３０の回動方向に配列すればよい。
【００９１】
（４）  上述の実施の形態においては、板バネ２７０として、中央付近に山形の屈曲部２７３を形成したものを用いる場合について述べたが、これに限られるものではなく、例えば、図４１に示すように、屈曲部２７３に代えて板状の当接部材２７８、２７９を設けるようにしてもよい。この場合、当接部材２７８、２７９の円弧状の当接部２７８Ａ、２７９Ａが、カム部材２３０のカム２３６に係合することにより、当該板バネ２７０、２８０の弾性力によって、カム部材２３０の回動動作を補助することができる。
【００９２】
（５）  上述の実施の形態においては、図７及び図１２に示したように、レーストラック形状又は楕円形状の引掛部１３３を有する吊掛具１０３を用いる場合について述べたが、これに限られるものではなく、例えば、図４２に示すように、引掛部１３３の形状として、釣り針形状としてもよく、要は、物干竿やハンガーを引掛けることが可能であれば、種々の形状のものを用いることができる。
【００９３】
（６）  上述の実施の形態においては、カム２３６の頂点部２３６が板バネ２７０、２８０の屈曲部２７３、２８３の頂点部２７４、２８４を乗り越える際のクリック感や音を、吊掛具１０３を走査する使用者に認識させる場合について述べたが、これに限られるものではなく、例えば、光センサや磁気センサを用いて、板バネ２７０、２８０の頂点部２７４、２８４やカム２３６の頂点部２３６Ｃ等の位置を検出し、この検出結果に基づいて、音や光を発する報知手段を設ける等、ロック及びロック解除を使用者に報知するための種々の手段を適用することができる。このように、クリック感や音によってロック状態やロック解除状態を使用者に報知することにより、使用者に対して操作の目安とすることができると共に、使用者が必要な角度以上の傾動操作を行うことを防止することができる。
【００９４】
（７）  上述の実施の形態においては、図１３に示したように、底部に挿入口１６１を有する略半球形状でなる碗形のケース１６０を用いる場合について述べたが、これに限られるものではなく、例えば、図４３及び図４４に示すように、吊掛具１０３を挿入する際のガイドとなるすり鉢形（漏斗形）のガイド部１６３を、碗形底部の挿入口１６１の周囲に有する形状としてもよい。すなわち、図４３は、他の実施の形態に係る支持具１０２の断面を示し、図４４は、その底面を示す図であり、支持具１０２は、移動部材（第１の移動部材）１９０及びロック機構部（移動部材（第２の移動部材）２１０、カム部材２３０、ロック部材２５０、２６０）を覆うケース１６０を備え、ケース１６０の底部には吊掛具１０３をケース１６０の外部空間から内部空間に挿入するための挿入口１６１と、挿入口１６１の周囲から当該挿入口１６１にかけて、ケース１６０の外部空間から内部空間方向に傾斜したガイド部１６３とが設けられている。
【００９５】
ガイド部１６３は、ケース１６０の挿入口１６１の周囲において、挿入口１６１に向かってすり鉢形（漏斗形）に傾斜していることにより、吊掛具１０３の係合部１３２を挿入口１６１に挿入する場合、係合部１３２を正確に挿入口１６１に位置合わせしなくとも、挿入口１６１よりも大きな径でなるガイド部１６３のいずれかの箇所に係合部１３２の先端を当接させることができれば、さらに吊掛具１０３を上方（矢印ａ方向）に押し上げることにより、吊掛具１０３の係合部１３２は、ガイド部１６３にガイドされて矢印ｋ方向へ移動し挿入口１６１へ到達する。
【００９６】
挿入口１６１は、図１３の構成と同様にして、筐体１７０の挿入口１７１と連通していることにより、カム部材２３０の筒体２３１の内部空間は、挿入口１６１及び１７１を介して、外部空間と連通している。これにより、吊掛具１０３を押し上げた際に、ガイド部１６３によりガイドされてケース１６１の挿入口１６１に到達した係合部１３２は、図４３において一点鎖線で示す仮想の軸線Ｑにほぼ沿うように、挿入口１６１から筐体１７０の挿入口１７１を介してカム部材２３０の筒体２３１の内部空間へ挿入されることになる。軸線Ｑの上方には、移動部材１９０の凹部１９２が配置されていることにより、筒体２３１の内部に挿入された係合部１３２は、吊掛具１０３がさらに押し上げられることに応じて、凹部１９２へ挿入される。
【００９７】
このように、ガイド部１６３は、挿入口１６１の周囲に形成されていることにより、当該ガイド部１６３のいずれかの位置に吊掛具１０３の係合部１３２を当接することができれば、挿入口１６１を中心にして、その周囲のいずれの方向からでも吊掛具１０３の係合部１３２を挿入口１６１へ（矢印ｋ方向へ）容易に導くことができる。これにより、吊掛具１０３を支持具１０２へ挿入する際に、正確な位置合わせを必要とせず、容易に、吊掛具１０３の係合部１３２をケース１６０及び筐体１７０の挿入口１６１及び１７１へ導くことができる。従って、吊掛具１０３を支持具１０２に対して容易に装着することが可能となる。
【００９８】
（８）  上述の実施の形態における各構成部品の寸法及び材質は一例を示すものであり、上述した場合に限られず、種々の寸法や材質を適用することができる。
【００９９】
（吊掛装置の概要）
本発明の実施の形態における吊掛装置１００は、吊掛具１０３と、当該吊掛具１０３を支持する支持具１０２とを有する吊掛装置１００であって、支持具１０２は、吊掛具１０３を挿脱可能とし、挿入された吊掛具１０３の傾動動作に応じて移動する第１の移動部材１９０と、第１の移動部材１９０の移動動作に応じて、吊掛具１０３をロックするロック動作及びロック解除するロック解除動作を繰り返すロック機構部（移動部材２１０、カム部材２３０、ロック部材２５０、２６０）と、を備え、吊掛具１０３は、第１の移動部材１９０に挿脱可能な第１の係合部１３２と、ロック機構部（移動部材２１０、カム部材２３０、ロック部材２５０、２６０）のロック動作によりロック機構部（移動部材２１０、カム部材２３０、ロック部材２５０、２６０）にロックされ、ロック解除動作によりロック解除されるロック係合部１３６とを備えることを特徴とする。
【０１００】
この構成によれば、吊掛具１０３を第１の移動部材１９０に挿入して傾動させるという簡単な操作によって、当該吊掛具１０３を支持具１０２に対して容易に着脱することができる。
【０１０１】
また、本実施の形態における吊掛装置１００は、上記構成において、第１の移動部材１９０は、吊掛具１０３の第１の係合部１３２を挿脱可能とする第２の係合部（凹部１９２）と、当該第２の係合部（凹部１９２）に挿入された吊掛具１０３の傾動動作に応じて移動すると共に、当該移動方向（矢印ｆ方向）に対して傾斜した第１傾斜面１９５を有し、ロック機構部（移動部材２１０）は、第１傾斜面１９５と摺接する第２傾斜面（挿入孔２１２の開口端面２１２Ａ）を有し、第１の移動部材１９０の移動に伴って、第１の移動部材１９０の移動方向に対して直交成分を有する方向（上昇方向）に移動すると共に、当該直交成分を有する移動方向に対して傾斜した第１摺接カム面（摺接面２１４Ａ）を有する複数の第１カム２１４が第１の筒体２１１の周面においてその周方向に沿って所定間隔で順次形成された第２の移動部材２１０と、複数の第１カム２１４の第１摺接カム面（摺接面２１４Ａ）に摺接される複数の第２カム２３３が第２の筒体２３１の周面においてその周方向に沿って所定間隔で順次形成され、第２の移動部材２１０の移動に伴って第２の筒体２３１が第２カム２３３の配列方向に回動すると共に、当該回動方向に沿って複数の第３カム２４１が順次形成されたカム部材と、第３カム２４１に係合され、カム部材２３０の回動に伴って、ロック動作及びロック解除動作を繰り返すロック部材２５０、２６０とを備えることを特徴とする。
【０１０２】
この構成によれば、吊掛具１０３の傾動動作に応じて第１の移動部材１９０を移動させると共に、第２の移動部材２１０、カム部材２３０及びロック部材２５０、２６０により、第１の移動部材１９０の移動を、ロック部材２５０、２６０によるロック動作及びロック解除動作に変換することができる。特に、第１の移動部材１９０の移動が、第２の移動部材２１０を介してカム部材２３０の回動操作に変換されることにより、吊掛具１０３の傾動により第１の移動部材１９０を移動させるごとに（すなわち、吊掛具１０３を傾動させるごとに）、カム部材２３０が同一方向（矢印ｅ方向）へ回動するようになされており、この構成により、ロック部材２５０、２６０によるロック動作及びロック解除動作が繰り返されることになる。これにより、吊掛具１０３を第１移動部材１９０に挿入して傾動させるという簡単な操作によって、吊掛具１０３を支持具１０２に対して容易に着脱することができる。
【０１０３】
また、本実施の形態における吊掛装置１００は、上記構成において、吊掛具１０３は、シャフト１３１と、シャフト１３１の一方の先端部に設けられた第１の係合部１３２と、シャフト１３１の他方の先端部に設けられた引掛部１３３とを備え、第１の係合部１３２は、第１移動部材１９０の凹状の第２の係合部（凹部１９２）に挿入される係合先端部１３５と、係合先端部１３５よりも径の大きなロック係合部１３６と、ロック係合部１３６の径よりも小さな径の小径部１３７とが、シャフト１３１の一方の先端部から順次形成されていることを特徴とする。
【０１０４】
この構成によれば、吊掛具１０３として、シャフト１３１の先端部から順に、係合先端部１３２、ロック係合部１３６及び小径部１３７が設けられることにより、支持具１０２に対して着脱自在である吊掛具１０３を簡単な構成によって実現することができる。
【０１０５】
また、本実施の形態における吊掛装置１００は、上記構成において、引掛部１３３は、楕円形状又は２つの円弧部を有するレーストラック形状に形成された環状であることを特徴とする。
【０１０６】
この構成によれば、楕円形状又はレーストラック形状の引掛部１３３を有することにより、当該引掛部１３３に物干竿等を容易に通すことができる。これにより、一段と使い勝手の良い吊掛装置１００を実現することができる。
【０１０７】
また、本実施の形態における吊掛装置１００は、上記構成において、ロック部材２５０、２６０は、吊掛具１０３の小径部１３７を挟むことにより、ロック動作し、ロック状態では、ロック係合部１３６がロック部材２５０、２６０に係止されて吊掛具１０３の下方への抜け落ちが係止されると共に、係合先端部１３５は、吊掛具１０３の自重により、第１の移動部材１９０の凹状の第２の係合部１９２から下方へ脱し、吊掛具１０３は、ロック部材２５０、２６０によるロック位置を支点として揺動可能に支持されることを特徴とする。
【０１０８】
この構成によれば、吊掛具１０３が支持具１０２にロックされた状態においては、吊掛具１０３の先端に設けられた係合先端部１３５が、支持具１０２の第１移動部材１９０から脱した状態となることにより、ロックしたままの状態で吊掛具１０３を揺動可能とすることができる。これにより、物干し作業等における使い勝手を向上することができる。また、例えば、斜め天井に支持具１０２を取り付けた場合においても、当該支持具１０２にロックされた吊掛具１０３を鉛直下方に吊り下げることが可能となる。
【０１０９】
また、本実施の形態における吊掛装置１００は、上記構成において、カム部材２３０には、第２の筒体２３１の周面においてその周方向に沿って複数の山形の第４カム２３６が順次形成され、第４カム２３６に係合され、カム部材２３０の回動に応じてカム部材２３０の回動動作を補助する弾性体（板バネ２７０、２８０）を備えることを特徴とする。
【０１１０】
この構成によれば、カム部材２３０の回動動作を弾性体（板バネ２７０、２８０）によって補助することにより、ロック動作及びロック解除動作を順次円滑に繰り返すことができる。
【符号の説明】
【０１１１】
１００  吊掛装置
１０２  支持具
１０３  吊掛具
１３１  シャフト
１３２  係合部
１３５  係合先端部
１３６  ロック係合部
１３７  小径部
１３３  引掛部
１６０  ケース
１６１、１７１  挿入口
１６３  ガイド部
１７０  筐体
１９０、２１０  移動部材
１９２  凹部
１９５  傾斜面
２１１、２３３  筒体
２１４、２３３、２３６、２４１  カム
２１４Ａ、２３３Ａ  摺接面
２３０  カム部材
２３２  摺動面
２５０、２６０  ロック部材
２７０、２８０、２９０  板バネ
【図１】
2011115445.tif 000003
【図２】
2011115445.tif 000004
【図３】
2011115445.tif 000005
【図４】
2011115445.tif 000006
【図５】
2011115445.tif 000007
【図６】
2011115445.tif 000008
【図７】
2011115445.tif 000009
【図８】
2011115445.tif 000010
【図９】
2011115445.tif 000011
【図１０】
2011115445.tif 000012
【図１１】
2011115445.tif 000013
【図１２】
2011115445.tif 000014
【図１３】
2011115445.tif 000015
【図１４】
2011115445.tif 000016
【図１５】
2011115445.tif 000017
【図１６】
2011115445.tif 000018
【図１７】
2011115445.tif 000019
【図１８】
2011115445.tif 000020
【図１９】
2011115445.tif 000021
【図２０】
2011115445.tif 000022
【図２１】
2011115445.tif 000023
【図２２】
2011115445.tif 000024
【図２３】
2011115445.tif 000025
【図２４】
2011115445.tif 000026
【図２５】
2011115445.tif 000027
【図２６】
2011115445.tif 000028
【図２７】
2011115445.tif 000029
【図２８】
2011115445.tif 000030
【図２９】
2011115445.tif 000031
【図３０】
2011115445.tif 000032
【図３１】
2011115445.tif 000033
【図３２】
2011115445.tif 000034
【図３３】
2011115445.tif 000035
【図３４】
2011115445.tif 000036
【図３５】
2011115445.tif 000037
【図３６】
2011115445.tif 000038
【図３７】
2011115445.tif 000039
【図３８】
2011115445.tif 000040
【図３９】
2011115445.tif 000041
【図４０】
2011115445.tif 000042
【図４１】
2011115445.tif 000043
【図４２】
2011115445.tif 000044
【図４３】
2011115445.tif 000045
【図４４】
2011115445.tif 000046